【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  用紙に画像を形成する画像形成手段と、画像形成用紙を後処理する後処理手段とを備え、前記画像形成から前記後処理までを行うジョブを実行する画像形成装置であって、
前記後処理手段で実行する後処理に応じて、ジョブの区切りを示す仕切り紙の出力を制御する制御手段を有することを特徴とする画像形成装置。
【請求項２】  前記制御手段は、前記後処理手段で実行する後処理の処理能力に応じて、前記仕切り紙の出力を制御することを特徴とする請求項１記載の画像形成装置。
【請求項３】  前記後処理手段は、画像形成用紙を真中で折り綴じる中綴じ手段、画像形成用紙を複数個所で折る折り手段、画像形成用紙にパンチ穴をあけるパンチ手段、画像形成用紙を綴じるステイプル手段を含むことを特徴とする請求項１又は２記載の画像形成装置。
【請求項４】  前記制御手段は、前記中綴じ手段で中綴じ処理を行う画像形成用紙の枚数が前記中綴じ手段の処理能力を超えない場合、前記仕切り紙を出力しないことを特徴とする請求項３記載の画像形成装置。
【請求項５】  前記制御手段は、前記中綴じ手段で中綴じ処理を行う画像形成用紙の枚数が前記中綴じ手段の処理能力を超える場合、画像形成用紙に前記中綴じ処理を行わず、前記仕切り紙を出力することを特徴とする請求項３記載の画像形成装置。
【請求項６】  前記制御手段は、前記折り手段で画像形成用紙に折り処理を行う場合、前記仕切り紙には前記折り処理を行わないことを特徴とする請求項３記載の画像形成装置。
【請求項７】  前記制御手段は、前記パンチ手段で画像形成用紙にパンチ処理を行う場合、前記仕切り紙には前記パンチ処理を行わないことを特徴とする請求項３記載の画像形成装置。
【請求項８】  前記制御手段は、前記ステイプル手段で画像形成用紙にステイプル処理を行う場合、前記仕切り紙には前記ステイプル処理を行わないことを特徴とする請求項３記載の画像形成装置。
【請求項９】  前記仕切り紙の出力の設定、前記後処理手段の後処理の設定を行う設定手段を有することを特徴とする請求項１記載の画像形成装置。
【請求項１０】  更に、原稿から画像を読み取る画像読取手段を有し、前記画像形成手段は、前記画像読取手段で読み取られた原稿の画像を用紙上に形成することを特徴とする請求項１記載の画像形成装置。
【請求項１１】  用紙に画像を形成する画像形成手段を備え、前記画像形成を行うジョブを実行する画像形成装置であって、
画像形成対象の用紙の紙種、ジョブの区切りを示す仕切り紙の紙種を設定する紙種設定手段と、前記紙種設定手段で設定された紙種を判断し、前記仕切り紙の出力を制御する制御手段とを有することを特徴とする画像形成装置。
【請求項１２】  前記制御手段は、前記紙種設定手段で設定された前記仕切り紙の紙種が予め定められた紙種の場合、前記仕切り紙を出力することを特徴とする請求項１１記載の画像形成装置。
【請求項１３】  前記制御手段は、前記紙種設定手段で設定された前記仕切り紙の紙種が予め定められた紙種でない場合、前記仕切り紙の紙種が予め定められた紙種でない旨を警告すると共に前記仕切り紙を出力しないことを特徴とする請求項１１記載の画像形成装置。
【請求項１４】  前記紙種設定手段では、普通紙、再生紙、厚紙、第二原図紙、ＯＨＰ用紙、色紙、プレパンチ紙、プレ印刷紙、レターヘッド、ラベル紙を含む紙種を設定可能であり、前記制御手段は、前記紙種設定手段で設定された前記仕切り紙の紙種が前記普通紙、前記再生紙、前記色紙の場合、前記仕切り紙を出力することを特徴とする請求項１１記載の画像形成装置。
【請求項１５】  更に、原稿から画像を読み取る画像読取手段を有し、前記画像形成手段は、前記画像読取手段で読み取られた原稿の画像を用紙上に形成することを特徴とする請求項１１記載の画像形成装置。
【請求項１６】  用紙に画像を形成する画像形成手段と、画像形成用紙を後処理する後処理手段とを備え、前記画像形成から前記後処理までを行うジョブを実行する画像形成装置における仕切り紙出力制御方法であって、
前記後処理手段で実行する後処理に応じて、ジョブの区切りを示す仕切り紙の出力を制御する工程を有することを特徴とする仕切り紙出力制御方法。
【請求項１７】  用紙に画像を形成する画像形成手段を備え、前記画像形成を行うジョブを実行する画像形成装置における仕切り紙出力制御方法であって、
画像形成対象の用紙の紙種、ジョブの区切りを示す仕切り紙の紙種を設定する工程と、前記設定された紙種を判断し、前記仕切り紙の出力を制御する工程とを有することを特徴とする仕切り紙出力制御方法。
【請求項１８】  用紙に画像を形成する画像形成手段と、画像形成用紙を後処理する後処理手段とを備え、前記画像形成から前記後処理までを行うジョブを実行する画像形成装置に適用されるプログラムであって、
前記後処理手段で実行する後処理に応じて、ジョブの区切りを示す仕切り紙の出力を制御する機能を、コンピュータに実現させるためのプログラム。
【請求項１９】  用紙に画像を形成する画像形成手段を備え、前記画像形成を行うジョブを実行する画像形成装置に適用されるプログラムであって、
画像形成対象の用紙の紙種、ジョブの区切りを示す仕切り紙の紙種を設定する機能と、前記設定された紙種を判断し、前記仕切り紙の出力を制御する機能を、コンピュータに実現させるためのプログラム。
【請求項２０】 請求項１８又は１９記載のプログラムを格納したことを特徴とする記憶媒体。
【手続補正２】
【補正対象書類名】明細書
【補正対象項目名】００１１
【補正方法】変更
【補正の内容】
【００１１】
【課題を解決するための手段】
上記目的を達成するため、本発明は、用紙に画像を形成する画像形成手段と、画像形成用紙を後処理する後処理手段とを備え、前記画像形成から前記後処理までを行うジョブを実行する画像形成装置であって、前記後処理手段で実行する後処理に応じて、ジョブの区切りを示す仕切り紙の出力を制御する制御手段を有することを特徴とする。
【手続補正３】
【補正対象書類名】明細書
【補正対象項目名】００１３
【補正方法】変更
【補正の内容】
【００１３】
また、本発明は、用紙に画像を形成する画像形成手段と、画像形成用紙を後処理する後処理手段とを備え、前記画像形成から前記後処理までを行うジョブを実行する画像形成装置における仕切り紙出力制御方法であって、前記後処理手段で実行する後処理に応じて、ジョブの区切りを示す仕切り紙の出力を制御する工程を有することを特徴とする。
【手続補正４】
【補正対象書類名】明細書
【補正対象項目名】００１５
【補正方法】変更
【補正の内容】
【００１５】
また、本発明は、用紙に画像を形成する画像形成手段と、画像形成用紙を後処理する後処理手段とを備え、前記画像形成から前記後処理までを行うジョブを実行する画像形成装置に適用されるプログラムであって、前記後処理手段で実行する後処理に応じて、ジョブの区切りを示す仕切り紙の出力を制御する機能を、コンピュータに実現させることを特徴とする。
【手続補正５】
【補正対象書類名】明細書
【補正対象項目名】００９３
【補正方法】変更
【補正の内容】
【００９３】
【発明の効果】
以上説明したように、本発明によれば、画像形成装置の画像形成手段で画像形成した用紙に対する後処理手段で実行する後処理に応じて、ジョブの区切りを示す仕切り紙の出力を制御し、また、仕切り紙には後処理を行わないため、用紙出力のパフォーマンスを向上させることができるという効果を奏する。